(57)【特許請求の範囲】
【請求項１】
複数のゲート柱を有して門型に構成される仮設ゲート本体と、複数のゲート柱の各下部に固定され、ゲート柱から平面視周囲へ略水平に拡がるベースプレートと、各ベースプレートの、各ゲート柱を囲う複数のプレート面にそれぞれ挿通固定され、ベースプレートの下方に伸長して設置面内に埋設されるスパイラル杭とを具備してなる仮設ゲートであって、
前記スパイラル杭は、伸長軸周りに螺旋状に伸長したねじり形状のねじり板と、ねじり板の上端中央からから伸長軸上に延設された固定棒とから一体的に構成され、
ベースプレートの複数の第一固定孔に挿通した固定棒が、ベースプレートを上下面から挟むプレート固定具によってそれぞれ第一固定孔で挟持固定されることで、ベースプレートが水平状態で、地中に埋設したスパイラル杭と固定されてなる仮設ゲートにおいて、
各スパイラル杭のねじり板の下端中央には、伸長軸対称形状の切り欠きが形成されることを特徴とする仮設ゲート。
【請求項２】
前記固定棒が雄ネジ部を有し、前記プレート固定具が、固定棒の雄ネジ部に螺合固定される上部ナット及び下部ナットを有し、下部ナットが、埋設されたスパイラル杭上部の固定棒に螺着してそれ自体の上部接触によってベースプレートを下面から支持し、複数本埋設されたスパイラル杭上部の各固定棒と、各固定棒のねじり板の端面から離間した位置にそれぞれ螺着した下部ナットとによって、一枚のベースプレートを水平支持するものであり、上部ナットが固定棒のベースプレート上部側に螺着されることで、前記水平支持されたベースプレートを上方から固定する請求項１記載の仮設ゲート。
【請求項３】
仮設フェンス／ゲートに使用される柱材に固定されると共にこの柱材の側方へ斜め方向に伸長して接地する張り出し支持材と、
張り出し支持材の張り出し部分近傍の地中に埋設されると共にそれ自体の上部が地表に露出してなるスパイラル杭と、
前記張り出し支持材とスパイラル杭とをそれぞれ保持する保持部同士が互いに連結してなる連結と、を具備してなる杭構造であって、
前記スパイラル杭は、伸長軸周りに螺旋状に伸長して地中に埋設された、ねじり形状のねじり板と、ねじり板の上端中央からから伸長軸上に延設された固定棒とから一体的に構成され、さらに、ねじり板の上端を含む地表への露出部分全体に亘って、筒状のカバー材が前記固定棒によって固定されてねじり板の周囲へ覆設され、
前記連結材は、前記カバー材に周着固定する保持部を有し、この保持部によってスパイラル杭を保持することを特徴とする仮設フェンス／ゲート設置用の杭構造。
【請求項４】
固定棒が雄ネジ部を有し、前記カバー材は、筒状の上部を塞ぐ閉塞板と、閉塞板に穿設されて固定棒の雄ネジ部に螺合し得るネジ孔構造とを有し、
このネジ孔構造がスパイラル杭上部の固定棒に螺着して、カバー材が閉塞板の下方へ連なって筒状下端が接地面に接して地表へのスパイラル杭の露出部全体を覆ってなる請求項３記載の仮設フェンス／ゲート設置用の杭構造。
【発明の詳細な説明】
【技術分野】
【０００１】
本発明は、各種工事等の仮出入り口として設置される門型の仮設ゲート及び仮設ゲートの設置構造、並びに、各種工事等の際の仮囲いとして設置される仮設フェンス（ガードフェンス或いはフェンスバリケード）及び仮設ゲートを含む仮設フェンス／ゲートを設置する際に使用する、仮設フェンス／ゲート設置用の杭構造に関する。特にこれらのうち、らせん板からなるスパイラル杭を埋設するものに関する。
【背景技術】
【０００２】
従来の打撃工法による基礎杭の施工に際して振動や騒音が発生することに鑑み、従来の基礎杭に替わるものとしてスパイラル鋼管杭が提案されている（特許文献１参照）。従来のスパイラル鋼管杭として、鋼管と、該鋼管の外径と同等以上の幅を有する平鋼を捻ったスパイラル部分と、該鋼管の下端の周面は該スパイラル部分を挿入するための螺形状の切り目を有し、スパイラル部分を切り目に挿入して、鋼管とスパイラルとが同一中心線になる状態で溶接され、鋼管下端のスパイラル挿入部の隙間を、円錐状のカバーで溶接して蓋をしたものが開示される（特許文献２参照）。この構造によれば、スパイラル鋼管杭を使用する事により、第一に、低振動と低騒音の施工が実現した為、周辺住民に迷惑をかける事が少なくなり、第二に、鉛直方向の荷重に対しては、従来の基礎杭より強く、特に軟弱地盤に対しては、優れた耐荷重性を持つようになり、さらに、鋼管とスパイラル部分との接合強度が増加する上、鋼管下端のスパイラル挿入部の隙間に設けられた円錐状のカバーとも相俟って、鋼管杭の埋設を円滑に行うことが可能となる、とされる。
【先行技術文献】
【特許文献】
【０００３】
【特許文献１】実開昭５９−１９６３９号公報
【特許文献２】特願２００８−２５５７３０号公報
【発明の概要】
【発明が解決しようとする課題】
【０００４】
しかしながら、上記従来のスパイラル鋼管杭は、依然として地中への基礎コンクリートの埋設が必要であり、仮設ゲートの設置においてこのような基礎コンクリートの埋設を行うのは仮設ゲートの設置時及び仮設解体時の両方で多大な時間と労力を要していた。また、スパイラル鋼管杭は鉛直方向の耐荷重性に優れるものの、モーメント荷重を伴う重量物の垂直支持を保つことが容易では無く、そのままの構造では、仮設ゲートのような、頻繁な可動及び大きな仮設構造体の支持に適していないとされていた。さらに、工事等による仮設ゲートは仮設の構造材であるため、杭打ち後に設置位置を変更する必要が生じる場合があるにもかかわらず、このような基礎コンクリートに埋設したスパイラル鋼管杭は、杭の上部を基礎コンクリートと共に固化してしまうため、一度埋設したものを繰り返し使用することはできなかった。
【０００５】
そこで本発明は、地中への基礎コンクリートの埋設を必要とせず、また、モーメント荷重を伴う重量物の垂直支持を安定的に保つことで頻繁な可動及び大きな仮設構造体の支持にも適し、さらに、杭打ち後の設置位置の変更や、一度埋設した後の繰り返し使用を可能とする仮設ゲートの設置構造とこれを備えた仮設ゲートを提供することを課題とする。
【課題を解決するための手段】
【０００６】
上記課題を解決するため、本発明は以下（１）〜（８）の構成を採用している。
【０００７】
（１）本発明の仮設ゲートは、複数のゲート柱６を有して門型に構成される仮設ゲート本体と、
複数のゲート柱６の各下部に固定され、ゲート柱６から平面視周囲へ略水平に拡がるベースプレート３と、
各ベースプレート３の、各ゲート柱６を囲う複数のプレート面にそれぞれ挿通固定され、ベースプレート３の下方に伸長して設置面内に埋設されるスパイラル杭１０とを具備してなる仮設ゲートであって、
前記スパイラル杭１０は、伸長軸周りに螺旋状に伸長したねじり形状のねじり板１と、ねじり板１の上端中央からから伸長軸上に延設された固定棒２とから一体的に構成され、
ベースプレート３の複数の固定孔３１Ｈに挿通した固定棒２が、ベースプレート３を上下面から挟むプレート固定具によってそれぞれ挟持固定されることで、ベースプレート３が地表上で水平状態とされたまま、地中に埋設したスパイラル杭１０と固定されてなることを特徴とする。
【０００８】
上記設置状態では、立設したゲート柱６からベースプレート３が地表の上で水平状態に拡がり、この拡がった部分が複数のスパイラル杭１０に囲われた位置で上下から挟持固定される。そして地中に伸びて埋設されたスパイラル杭１０を、杭上部の固定棒２を介して水平のベースプレートと連結固定することで、門型の仮設ゲートのゲート柱６を支持することによるモーメントの多くを、ベースプレート３を下方から支えるための鉛直方向力に変換することで、鉛直方向耐力に優れたスパイラル杭１０によって確実に支持することのできるものとしている。
【０００９】
上記プレート固定具は、例えば後述の図２、図６に示すように、固定棒２に螺合し得る上部ナット及び下部ナットのような、上下に分離した構造からなるものとしてもよく、このような形態の他にも、例えば上部挟み込み部と下部挟み込み部とが一体的に連結構成され、その一部のみが固定棒に固定されるものが挙げられる。
【００１０】
また上記の他に、例えば後述の図１０に示すように、挟み込み用の別構成部材が、スパイラル杭１０の上部にくさび挿設可能なくさび部材１５Ｋのみからなり、スパイラル杭１０の上方延出部へくさび状に挿設されたくさび部材１５Ｋと、ねじり板１の上端面とによって上下面からベースプレートを上下面から挟持固定するものが挙げられる。
【００１１】
（２）前記仮設ゲートにおいて、前記固定棒２が雄ネジ部を有し、
前記プレート固定具が、固定棒２の雄ネジ部に螺合固定される上部ナット４Ｎ及び下部ナット３Ｎからなり、
下部ナット３Ｎが、埋設されたスパイラル杭１０上部の固定棒２に螺着して、それ自体の上部接触によってベースプレート３を下面から支持し、
鉛直方向に複数本埋設されたスパイラル杭１０上部の各固定棒２と、各固定棒２のねじり板１の端面から離間した位置にそれぞれ螺着した下部ナット３Ｎとによって、一枚のベースプレート３を水平支持するものであり、
上部ナット４Ｎが固定棒のベースプレート上部側に螺着することで、前記水平支持されたベースプレートを上方から固定することが好ましい。
【００１２】
プレート固定具の挟み込みが、上部ナット４Ｎ、下部ナット３Ｎによる固定棒２への螺合によって達成されることで、ベースプレート３の設置作業及びプレート面の角度調節作業が容易となり、さらに杭上部をコンクリート等で固着するものではないため解体も可能となり、スパイラル杭１０と共に、設置位置の変更や解体後の繰り返し使用に耐えうる構造となる。特に下部ナット３Ｎは、螺合による微細な位置調節が可能であるとともに、位置調節後であってベース柱６を支持状態ではベースプレート３から極めて大きな荷重を、固定棒２の長さ方向に亘る螺子当接面全体で受けるため、確実な支持力を発揮するとともに、調節後の位置が容易に変わることがない。
【００１３】
（３）前記いずれか記載の仮設ゲートにおいて、各スパイラル杭１０のねじり板１の下端中央には、伸長軸対称形状の切り欠き１３が形成されることが好ましい。
【００１４】
切り欠き１３によって杭下端は回転軸中心である中央部が上方に凹み、軸の両側方へ２枚の板刃が離間対称に張り出し形成される。この２枚の板刃によって、地中内の杭の伸長軸上の障害物を押し除けて螺進するものとなる。すなわち軸上に障害物があった場合には、凹状に凹んだ先端の板端でその障害物を挟み、２枚の板刃がねじり方向に回転してその障害物のいずれかの側方に入り込み、ねじり方向の各面が障害物を当該側方から捩じり方向に沿って押し除ける作用を果たす。このとき、２枚の板刃は障害物を壊すのではなく２枚の板面で障害物を移動させる役割を果たすため、欠損や傷付きの発生を抑えることで、耐久性の優れた構造となっている。また杭の先端が凸状となっていないことで、杭の下端中央が地中の障害物に突き当たって進めないという事態を避け、また先端の破損の程度を抑えるものとなっている。
【００１５】
（４）前記いずれか記載の仮設ゲートにおいて、ベースプレート３には、埋設したスパイラル杭１０の固定棒２を挿通してベースプレート３を水平設置するための第一固定孔３１Ｈと、支持材固定ボルト５Ｂを挿通して柱支持材５を固定するための第二固定孔３２Ｈとが、それぞれ複数個ずつ設けられ、柱支持材５によってゲート柱６を支持するものであり、
前記第一固定孔３２Ｈは、ベースプレート３内のプレート面内において、スパイラル杭１０の複数パターンの埋設位置に対応した全ての固定棒２の突出可能箇所に設けられ、
複数の第一固定孔３１Ｈのうち一部の選択使用によって、複数パターンの埋設位置のうちいずれかの埋設位置のスパイラル杭１０に対応してベースプレート３を水平配置設置することのできることが好ましい。
【００１６】
これは後述する実施例３のベースプレート３´´のように、あらかじめスパイラル杭１０の埋設位置を複数パターン用意しておき、地中の状態によってスパイラル杭１０の埋設可能部分または埋設位置に対するゲート柱６の立設位置に制限が生じたときにも、必要に応じてベースプレート３の第一固定孔３１Ｈの使用箇所を変えて対応し得るようにしたものである（図８ａ参照）。
【００１７】
このとき、プレート面内にあらわれる非使用状態（Ｅ）の第一固定孔３１Ｈが、雨天時にゲート柱６から流れ込む水の水抜きの役割を果たし、プレート面上に水がたまるのを防ぐことができる。またこのとき、非使用状態（Ｅ）の第一固定孔３１Ｈから、プレート下面と地表との間に緩衝材又は接着材を挿入または注入することで、ベースプレート３´´の緩衝力又は地面への定着力をより高めることができる。またモーメントの値に応じて、複数パターンの埋設位置に対応する第一固定孔３１Ｈの使用箇所を増やすか、すべての第一固定孔３１Ｈを、埋設したスパイラル杭１０の固定棒２と固定することで、より強固なゲート柱６の指示が可能となる（図８ｂｃ参照）。いずれの場合でも第一固定孔３２Ｈは第一固定孔３１Ｈよりもプレート内部寄りに集合形成されており、ゲート柱６を支持することによるモーメントをその平面視外側の埋設杭によって確実に吸収することができる。
【００１８】
なお第一固定孔３１Ｈと第二固定孔３２Ｈを同一径の内ネジ孔で構成することで、第一固定孔３１Ｈ兼第二固定孔３２Ｈを有し、スパイラル杭１０の固定位置及び柱支持材５の配設位置により自由度を持たせたベースプレート３とすることも可能である（図示せず）。
【００１９】
（５）前記いずれか記載の仮設ゲートにおいて、ベースプレート３には、埋設したスパイラル杭１０の固定棒２を挿通してベースプレート３を水平設置するための第一固定孔３１Ｈと、支持材固定ボルト５Ｂを挿通して柱支持材５を固定するための第二固定孔３２Ｈとが、それぞれ複数個ずつ設けられ、柱支持材５によってゲート柱６を支持するものであり、
前記第二固定孔３２Ｈは、ベースプレート３内のプレート面内において、柱支持材５の複数パターンの配設位置に対応した全ての支持材固定ボルト５Ｂの配置箇所に設けられ、
複数の第二固定孔３２Ｈのうち一部の選択使用によって、複数パターンの配設位置のうちいずれかの配設位置に柱支持材５を選択して配設固定し得ることが好ましい。
【００２０】
これは後述する実施例２，３のベースプレート３´、３´´のように、あらかじめ柱支持材５の固定位置を複数パターン想定しておき、ベースプレート３の地表への固定位置またはゲート柱６の立設位置に制限が生じたときにも、必要に応じて柱支持材５の固定位置を変えて対応し得るようにしたものである（図７ａｂｃ、図８ａｂｃ参照）。
このとき、プレート面内にあらわれる非使用状態（Ｅ）の第二固定孔３２Ｈが、雨天時にゲート柱６から流れ込む水の水抜きの役割を果たし、プレート面上に水がたまるのを防ぐことができる。またこのとき、非使用状態（Ｅ）の第二固定孔３２Ｈから、プレート下面と地表との間に緩衝材又は接着材を挿入または注入することで、ベースプレート３´／３´´の緩衝力又は地面への定着力をより高めることができる。なおいずれの場合でも第二固定孔３２Ｈは第一固定孔３１Ｈよりもプレート内部寄りに集合形成されており、ゲート柱６を支持することによるモーメントをその平面視外側の埋設杭によって確実に吸収することができる。
【００２１】
（６）また本発明の仮設ゲートの設置構造は、複数のゲート柱６を有した仮設ゲートの設置構造であって、
ゲート柱６の下端の両側面を挟んでゲート柱６を支持すると共にベースプレート３上の所定位置に配設固定される柱支持材５と、
柱支持材５によって複数のゲート柱６の各下部に固定され、ゲート柱６から平面視周囲へ略水平に拡がるベースプレート３と、
各ベースプレート３の、各ゲート柱６を囲う複数のプレート面にそれぞれ挿通固定され、ベースプレート３の下方に伸長して設置面内に埋設されるスパイラル杭１０とを具備してなり、
前記スパイラル杭１０は、伸長軸周りに螺旋状に伸長したねじり形状のねじり板１と、ねじり板１の上端中央からから伸長軸上に延設された固定棒２とから一体的に構成され、
ベースプレート３の複数の固定孔３１Ｈに挿通した固定棒２が、ベースプレート３を上下面から挟むプレート固定具によってそれぞれ挟持固定されることで、ベースプレート３を水平状態としたまま、地中に埋設したスパイラル杭１０と固定してなることを特徴とする。
【００２２】
（７）また本発明の仮設フェンス／ゲート設置用の杭構造は、仮設フェンス／ゲートに使用される柱材６１に固定されると共にこの柱材６１の側方へ斜め方向に伸長して接地する張り出し支持材６２と、
張り出し支持材６２の張り出し部分近傍の地中に埋設されると共にそれ自体の上部が地表に露出してなるスパイラル杭１０と、
前記張り出し支持材６２とスパイラル杭１０とをそれぞれ保持する保持部同士が互いに連結してなる連結材Ｃと、を具備してなる杭構造であって、
前記スパイラル杭１０は、伸長軸周りに螺旋状に伸長して地中に埋設された、ねじり形状のねじり板１と、ねじり板１の上端中央からから伸長軸上に延設された固定棒２とから一体的に構成され、
さらに、ねじり板１の上端を含む地表への露出部分全体に亘って、筒状のカバー材８０が前記固定棒２によって固定されてねじり板１の周囲へ覆設され、
前記連結材は、前記カバー材８０に周着固定する保持部を有し、この保持部によってスパイラル杭を保持することを特徴とする。
【００２３】
（８）前記仮設フェンス／ゲート設置用の杭構造において、固定棒２が雄ネジ部を有し、前記カバー材８０は、筒状の上部を塞ぐ閉塞板８１と、閉塞板８１に穿設されて固定棒２の雄ネジ部に螺合し得るネジ孔構造とを有し、
このネジ孔構造がスパイラル杭１０上部の固定棒に螺着して、カバー材８０が閉塞板８１の下方へ連なって筒状下端が接地面に接して地表へのスパイラル杭１０の露出部全体を覆うことが好ましい。
【発明の効果】
【００２４】
本発明は上記手段を採用することで、地中への基礎コンクリートの埋設を必要とせず、また、モーメント荷重を伴う重量物の垂直支持を安定的に保つことで頻繁な可動及び大きな仮設構造体の支持にも適し、さらに、杭打ち後の設置位置の変更や、一度埋設した後の繰り返し使用を可能とする仮設ゲートの設置構造とこれを備えた仮設ゲートを提供するものとなった。
【図面の簡単な説明】
【００２５】
【図１】本発明の実施例１の設置構造を使用した仮設ゲートの設置状態を示す全体説明図。
【図２】図１のＡ部拡大図。
【図３】実施例１の設置構造のスパイラル杭１０の埋設工程を示す状態説明図。
【図４】図１における実施例１の設置構造部分の分解斜視図。
【図５】図１における実施例１の設置構造部分の分解斜視図。
【図６】図５の地表付近の構造説明図。
【図７】実施例２のベースプレート３´を使用した設置状態を示す平面説明図。
【図８】実施例３のベースプレート３´´を使用した設置状態を示す平面説明図。
【図９】本発明の実施例４のスパイラル杭の分解及び組み立て状態を示す斜視説明図。
【図１０】本発明の実施例５のスパイラル杭１０の分解構造及びベースプレート３への設置状態を示す斜視説明図。
【図１１】本発明の実施例６のスパイラル杭１０の分解及び組み立て状態を示す斜視説明図。
【図１２】本発明の実施例７のスパイラル杭１０の分解及び組み立て状態を示す斜視説明図。
【図１３】本発明の実施例８のスパイラル杭１０の分解及び組み立て状態を示す斜視説明図。
【図１４】本発明のカバー材８０の下端部の他の形態例（ａ）（ｂ）（ｃ）を示す部分拡大説明図。
【図１５】本発明の実施例６のスパイラル杭１０を含む設置構造を使用した仮設ゲートの設置状態を示す部分拡大説明図。
【図１６】本発明の実施例６のスパイラル杭１０を使用した仮設フェンスの設置状態を示す状態説明図。
【図１７】実施例６のスパイラル杭１０の、図１６に示す設置後の引き抜き工程を示す状態説明図。
【発明を実施するための形態】
【００２６】
以下、本発明を実施するための形態例を、本発明の実施例として示す各図と共に説明する。
【００２７】
（本発明の仮設ゲートの設置構造）
いずれの実施例においても、本発明の仮設ゲートの設置構造は、複数のゲート柱６を有した仮設ゲートの設置構造であって、少なくとも、
ゲート柱６の下端の両側面を挟んでゲート柱６を支持すると共にベースプレート３上の所定位置に配設固定される柱支持材５と、
柱支持材５によって複数のゲート柱６の各下部に固定され、ゲート柱６から平面視周囲へ略水平に拡がるベースプレート３と、
各ベースプレート３の、各ゲート柱６を囲う複数のプレート面にそれぞれ挿通固定され、ベースプレート３の下方に伸長して設置面内に埋設されるスパイラル杭１０とを具備してなり、
前記スパイラル杭１０は、伸長軸周りに螺旋状に伸長したねじり形状のねじり板１と、ねじり板１の上端中央からから伸長軸上に延設された固定棒２とから一体的に構成される。
【００２８】
そしてベースプレート３の複数の固定孔３１Ｈに挿通した固定棒２が、ベースプレート３を上下面から挟むプレート固定具によってそれぞれ挟持固定されることで、ベースプレート３を水平状態としたまま、地中に埋設したスパイラル杭１０と固定してなることを特徴とする。
【００２９】
（仮設ゲート６）
本発明の設置構造は、少なくとも複数のゲート柱６を有して門型に構成される仮設ゲート本体６Ｆを解体可能に仮設置するための設置構造である。仮設対象物である仮設ゲート６Ｆは１対のゲート柱６を左右に有してこのゲート柱６間を上部にてわたる門型フレーム状に構成され、門型のフレームの内側に複数のゲートパネル６Ｐが連結固定される。このゲートパネルは柱側に折り畳むことで門を開放状態とすることができる。
【００３０】
（本発明の仮設ゲート）そして本発明の仮設ゲートは、複数のゲート柱６を有して門型に構成される仮設ゲート本体と、
複数のゲート柱６の各下部に固定され、ゲート柱６から平面視周囲へ略水平に拡がるベースプレート３と、
各ベースプレート３の、各ゲート柱６を囲う複数のプレート面にそれぞれ挿通固定され、ベースプレート３の下方に伸長して設置面内に埋設されるスパイラル杭１０とを具備してなる。以下、実施例１〜３の各構成につき詳述する。
【実施例１】
【００３１】
図１〜図６に示す実施例１の形態はすなわち、各支持材５の平面視周囲を囲う位置に複数のスパイラル杭１０が埋設され、埋設上部に突出する固定棒２を、ベースプレート３のいずれかの第一固定孔３１Ｈに挿通させ、水平支持材によってベースプレート３の水平状態を保ったまま、雄ネジ棒に螺合する固定ナット４を介してベースプレート３を固定してなる。
【００３２】
（スパイラル杭１０）
スパイラル杭１０は、板幅中央の軸周りに螺旋状にねじり成形されたねじり板１、及びねじり板１の上端から軸上に延設された雄ネジ棒２から一体的に構成された基礎杭である。
【００３３】
（ねじり板１）
ねじり板１は、一定幅のまま所定の伸長方向に伸長する長尺板をねじり成形前の原型板とし、この原型板の板幅中央位置にて板の伸長方向に伸長する伸長軸をらせん軸とし、この軸周りに一定のねじり進行角で螺旋状にねじり成形される。ねじり板１の上部には固定棒２を固定するための固定部１２が球状に盛り形成されており、平面視ではこの部分が膨らんだ一字状の端面が露出する。端面の面積を小さくすることで上方からの余分な接触によるひずみの発生を防いでいる。
【００３４】
（固定棒２）
固定棒２はねじり板１の上端中央から軸上に延設された棒体であり、ねじり板１の埋設後に地面から少なくとも棒長さの一部が地面から上向きに露出し、この露出部分にてベースプレートに挿通し、プレート固定具と共にベースプレートを固定するものである。延設長さは剛性上、ねじり板の半周捩じり進行距離と同一であるか僅かに短い程度であることが好ましい。実施例では固定棒２が雄ネジ部を有し、前記プレート固定具の上部ナット４Ｎ及び下部ナット３Ｎに螺合固定される。
【００３５】
（切り欠き１３）
スパイラル杭１０のねじり板１の下端中央には、伸長軸対称形状の切り欠き１３が形成される。この切り欠き１３によって杭下端は回転軸中心である中央部が上方に凹み、軸の両側方へ２枚の板刃が離間対称に張り出し形成される。この２枚の板刃によって、地中内の杭の伸長軸上の障害物を押し除けて螺進するものとなる。すなわち軸上に障害物があった場合には、凹状に凹んだ先端の板端でその障害物を挟み、２枚の板刃がねじり方向に回転してその障害物のいずれかの側方に入り込み、ねじり方向の各面が障害物を当該側方から捩じり方向に沿って押し除ける作用を果たす。このとき、２枚の板刃は障害物を壊すのではなく２枚の板面で障害物を移動させる役割を果たすため、欠損や傷付きの発生を抑えることで、耐久性の優れた構造となっている。また杭の先端が凸状となっていないことで、杭の下端中央が地中の障害物に突き当たって進めないという事態を避け、また先端の破損の程度を抑えるものとなっている。
【００３６】
（ベースプレート３）
ベースプレート３は、柱支持材５が上面に配設固定された状態で、埋設された複数のスパイラル杭１０の上部に突出した固定棒２及びプレート固定具によって水平支持される。そしてベースプレート３には、埋設したスパイラル杭１０の固定棒２を挿通してベースプレート３を水平設置するための第一固定孔３１Ｈと、支持材固定ボルト５Ｂを挿通して柱支持材５を固定するための第二固定孔３２Ｈとが、それぞれ複数個ずつ設けられる。
【００３７】
ベースプレート３には、埋設したスパイラル杭１０の固定棒２を挿通してベースプレート３を水平設置するための第一固定孔３１Ｈと、支持材固定ボルト５Ｂを挿通して柱支持材５を固定するための第二固定孔３２Ｈとが、それぞれ複数個ずつ設けられ、柱支持材５によってゲート柱６を支持するものとなっている。
【００３８】
（プレート固定具）
プレート固定具（３Ｎ，４Ｎ）は、ベースプレート３を上下面から挟むことで、ベースプレート３の複数の固定孔３１Ｈに挿通した固定棒２を挟持固定する。そして、鉛直方向に複数本埋設されたスパイラル杭１０上部の各固定棒２と、プレート固定具の上下からの挟み込みとによって、一枚のベースプレート３の水平状態を地表面上で保ち、ゲート柱５を支持可能な状態で保持するものである。
【００３９】
実施例のプレート固定具は、固定棒２の雄ネジ部に螺合固定される上部ナット４Ｎ及び下部ナット３Ｎからなる。このうち下部ナット３Ｎが、埋設されたスパイラル杭１０上部の固定棒２に螺着して、それ自体の上部での直接接触又は下部ワッシャ３Ｗを介した間接接触によって、ベースプレート３を下面から支持する。このとき、下部ナット３Ｎは各固定棒２のねじり板１の端面と接触することなく、当該端面から離間した位置に螺着される。
【００４０】
上部ナット４Ｎは、固定棒のベースプレート上部側に螺着することで、前記水平支持されたベースプレートを上方から固定する。実施例では上部ナット４Ｎと共に上部ワッシャ４Ｗを併用している。実施例の上部ナット４Ｎは緩み止め防止のため、重ねて連続螺着される同一の２つのナット、いわゆるダブルナットで構成される。
【００４１】
下部ナット３Ｎ及び下部ワッシャ３Ｗは、複数のスパイラル杭１０が挿通されたベースプレート３を下面から支持して水平に保つ水平支持材としての役割を果たす。すなわち、複数のスパイラル杭１０の埋設高さが、図６に示すように実際には多少ずれることがあることに鑑み、下部ナット３Ｎの螺着位置、すなわちねじり板１上端からの距離Ｄ１，Ｄ２をスパイラル杭１０毎に調節して、この下部ナット３Ｎ及びその上面に接した下部ワッシャ３Ｗによって、ベースプレート３を水平支持するものとしている。
【００４２】
（柱支持材５）柱支持材５はゲート柱６の下端にてゲート柱６を垂直方向に立設させたまま支持する。ベースプレート３の上面側であって前記第一固定穴３１Ｈよりも面中央寄りの位置に固定されるものであり、門型ゲートの柱を支持する。具体的には、ベースプレート３の面内であって前記第一固定穴３１Ｈよりも面中央側に形成された複数の第二固定孔３２Ｈを介してベースプレート３の面上に固定されると共に、ゲート柱６の下端の両側面を挟んでゲート柱６を支持する。
【００４３】
（設置方法）
上記本発明の実施例１のスパイラル杭１０を使用して、図３に示すようなスパイラル杭１０群の埋設工程、図４，５，６に示すようなベースプレート設置工程を経て、ゲート柱６及ゲートパネル６Ｐを有した仮設ゲートの設置構造を構成することができる。本発明の設置構造を設置する際は、先ず図３に示すように、複数の短筒７１が上方突出固定された位置決めプレート７を地表に配置し、鉛直方向に立つ短筒７１の各内部に沿ってスパイラル杭１０をらせん状に地中進行させながら埋設する埋設工程を行う。位置決めプレート７はベースプレート３の第一固定孔３１Ｈの配置にあわせた４つの短筒７１が固設される。短筒７１内は筒穴が形成され、さらに筒穴内に位置決めプレート７のプレート面と並行の細孔付きプレートが固定されている（図示せず）。
【００４４】
細孔付きプレートの細孔は、ねじり板１の板厚及び板幅が挿通可能な細長矩形大で形成される。そして図３に示すように、治具Ｇによってねじり板１の上端を挟み、回転・振動させながら細孔内を回転させてねじり板１を螺旋状に埋設していく。このとき先端の切り欠き１３によって地中の障害物をプロペラ状に押し除けながら埋設進行することができる。埋設は図４，５，６に示すように、ねじり板１の１らせん分以下の上部が地表に露出した位置でとどめても良く、またねじり板１上部の固定棒２の大部分が地表に現れる位置まで行っても良い。ねじり板１の上部には固定棒２を固定するための固定部１２が盛り形成されており、この固定部１２を目印としてこれが地表に見える位置にとどめることで、埋設の程度を均一に調節することができる。
【００４５】
次に図４、５に示すように、地表に露出した固定棒２に下部ナット３Ｎ，下部ワッシャ３Ｗ、ベースプレート３、上部ワッシャ４Ｗ、上部ナット４Ｎを取り付け、ベースプレート３を上下から挟みこんで水平支持固定する。このとき下部ナット３Ｎの下端はねじり板１の上端から離間して余分な力をねじり板上端に加えないものとしている（図６）。そしてベースプレート３の上面に柱支持材５及びゲート柱６を取り付ける。
【実施例２】
【００４６】
図７に示す実施例２の形態はすなわち、ベースプレート３のみが実施例１と異なっており、他の構成及び設置方法は実施例１と同様である。実施例２のベースプレート３´は、図７のように正方形から構成され、四隅付近に合計４カ所の第一固定孔３１Ｈが対角線上に等間隔に設けられると共に、これら第一固定孔３１Ｈを結ぶ正方形領域の範囲内に、１列ごとに５カ所ずつ、合計３列１５カ所の第二固定孔３２Ｈが等間隔に列設される。実施例２の第二固定孔３２Ｈは、ベースプレート３内のプレート面内において、柱支持材５の３パターンの配設位置（図７ａの中央位置、図７ｂの右位置、図７ｃの左位置）に対応した全ての支持材固定ボルト５Ｂの配置箇所に設けられ、複数の第二固定孔３２Ｈのうち一部の選択使用によって、複数パターンの配設位置のうちいずれかの配設位置に柱支持材５を選択して配設固定することができる。
【００４７】
（第二固定孔３２Ｈ）
実施例２の第二固定孔３２Ｈは、ベースプレート３内の柱支持材５の複数パターンの配置に対応した総ての位置に設けられる。すなわち第二固定孔３２Ｈは、柱支持材５の複数の配設箇所に対応したすべての支持材固定ボルト５Ｂの配置個所に設けられ、幅方向柱中心選択使用によって、ベースプレート内の柱支持材５の配設位置を可変することができるものとなっている。１本のゲート柱６を支持するために必要な支持材固定ボルト５Ｂの本数、すなわち柱支持材５の１箇所の配設時にセットされる支持材固定ボルト５Ｂの本数よりも多く設けられ、その内の一部分のみを選択して使用するため、残りの部分は非使用状態（Ｅ）となる。ただし非使用状態（Ｅ）の支持固定孔３２Ｈはゲート柱５からの水の水抜きの役割を果たし、ベースプレート３上に雨水がたまるのを防ぐものとなっている。また本実施例では柱支持材５の左右３か所ずつ合計６か所の固定箇所を、左右の固定距離の半分ずつ左右にずらすように右配置パターン（ｂ）、左配置パターン（ｃ）としているため、ゲート柱６の柱中心位置に必ず非使用状態の第二固定孔３２Ｈが位置することとなる（図７）。これにより、ゲート柱６の立設位置を容易に割り出しやすく、施工が容易になっている。
【実施例３】
【００４８】
図８に示す実施例３の形態はすなわち、ベースプレート３のみが実施例１と異なっており、他の構成及び設置方法は実施例１と同様である。実施例３のベースプレート３´´は、図８のように、隣り合う長辺と短辺とを有する長方形板から構成され、各長辺近傍にて長辺に沿う１列ごとに３カ所ずつ、合計２列６カ所の第一固定孔３１Ｈが等間隔に設けられると共に、これら第一固定孔３１Ｈを結ぶ長方形領域の範囲内に、１列ごとに９カ所ずつ、合計３列２７カ所の第二固定孔３２Ｈが等間隔に列設される。実施例３の第一固定孔３１Ｈは、ベースプレート３内のプレート面内において、スパイラル杭１０の複数パターンの埋設位置に対応した全ての固定棒２の突出可能箇所に設けられ、複数の第一固定孔３１Ｈのうち一部の選択使用によって、複数パターンの埋設位置のうちいずれかの埋設位置のスパイラル杭１０に対応してベースプレート３を水平配置設置することができる。
【実施例４】
【００４９】
図９に示す本発明の実施例４のスパイラル杭は、図９（ａ）のようにらせん板１と分離構成された固定棒２が、らせん板１の上端伸長部１２０を上端両面側から挟みこみ、固定ボルト１４Ｂ、固定ナット１４Ｎからなる固定構造によって固定されることで、図９（ｂ）のような取り付け状態を構成する。
具体的には、固定棒２の下端から断面を横断する挟み込み溝２１Ｄが形成されると共に、らせん板１の上端には、この挟み込み溝２１Ｄの長さに対応する長さで平面板状に上方伸長した上端伸長部１２０が形成される。また挟み込み溝２１Ｄ、伸長部１２０の対応位置にはそれぞれ、上下２つの挿通孔２１Ｈ，１２０Ｈが形成されている。そして挟み込み溝２１Ｄによってらせん板１の両面を挟みこんだ状態で、それぞれ重複配置された上下２つの各挿通孔に固定ボルト１４Ｂを挿入し、固定ナット１４Ｎによって締結固定している。
【実施例５】
【００５０】
図１０に示す本発明の実施例５のスパイラル杭１０は、他の実施例のような固定棒を有さず、代わりに図１０（ａ）のようにらせん板１と分離構成されたくさび部材１５Ｋを具備してなる。そして、らせん板１には上端伸長部１２０とそのさらに上端へ張り出した矩形の延伸部１５が形成され、延伸部１５には縦長矩形のくさび孔１５Ｈが形成される。くさび部材１５Ｋは下面水平面と上面傾斜面とを有した横倒台形板をなし、横倒台形の短辺側からくさび孔１５Ｈ内に挿入することで、図１０（ｂ）のような、ベースプレート３を挟んだ取り付け状態としてくさび固定される。
【００５１】
また、ベースプレートの杭取り付け位置には、スリット状の挟み込み溝３Ｄが形成されると共に、らせん板１の上端には、このスリット溝３Ｄの溝幅とベースプレート３厚さに対応する平面板状の上端伸長部１２０が形成される。そして挟み込み溝３Ｄによってらせん板１の上端伸長部１２０両面を挟みこんだ状態で、ベースプレートの上方へさらに延伸部１５が突出形成される。このとき延伸部１５にはくさび孔１５Ｈがベースプレート３内から連なって露出しており、くさび孔１５Ｈ内にくさび部材１５Ｋを挿入する量によってくさび締結量が調節される。
【実施例６】
【００５２】
図１１に示す本発明の実施例６のスパイラル杭１０は、図１〜図６に示す実施例１のらせん板１の上部に、閉塞板８１で上端閉塞された天板付きの筒状のカバー材８０を螺合固定可能に有し、カバー材８０の螺合固定によって上端カバー付きのスパイラル杭１０を構成している。実施例６のカバー材８０は、内部空間８Ｈを有した筒状の天板付きのカバー材８０をなし、この内部空間にスパイラル杭１０の上端部を収容することで、スパイラル杭１０の埋設時の露出部分を保護し、傷付き防止あるいは錆や劣化の防止の役割を果たす。また閉塞板８１上面にはナット部８２が固定され、このナット部８２の内面にネジ孔構造が形成されることで、ネジ孔構造が、カバー材８０の外部側である閉塞板８１の上方へ突出形成される。
【実施例７】
【００５３】
図１２に示す本発明の実施例７のスパイラル杭１０は、閉塞板８１下面にナット部８２が固定され、このナット部８２の内面にネジ孔構造が形成されることで、ネジ孔構造が、カバー材８０の内部側である閉塞板８１の下方へ突出形成される。
【実施例８】
【００５４】
図１３に示す本発明の実施例８のスパイラル杭１０は、実施例６、７のようなナット部を有さず、閉塞板８１の貫通孔の内面にネジ孔構造が直接形成されることで、ネジ孔構造が、カバー材８０を構成する閉塞板８１自体に内部形成される。
【００５５】
（カバー材の他の形態例）
図１４に、本発明のカバー材８０の下端部の他の形態例（ａ）（ｂ）（ｃ）を示す。図１４に示すように、カバー材８０下端には三角形状または山型形状の複数の切り欠き８Ｄを筒状外周縁に沿って形成してもよい。図１４（ａ）では、両側部に対称傾斜した山型の切り欠き８Ｄを連続形成して、切り欠き８Ｄ間に下方への傾斜２辺を有する一組の突出部８３を形成している。図１４（ｂ）では、片傾斜した直角三角形状の切り欠き８Ｄを連続形成して、切り欠き８Ｄ間に、片傾斜辺８３Ｔを有する連続突出部８３を形成している。図１４（ｃ）では、片傾斜した直角三角形状の切り欠き８Ｄを周方向に離間形成して、切り欠き８Ｄ間に、片傾斜辺８３Ｔと水平下辺８３Ｅとを有する突出部８３を連続形成している。これらの各切り欠き８Ｄとそれによる突出部によって、カバー材８０の地中への突入が容易となる。
【００５６】
〔杭構造の設置方法及び設置状態例（図１５）〕
上記本発明のいずれかの実施例のスパイラル杭１０を使用して、図１５に示すような仮設ゲートの杭構造とすることができる。仮設ゲートの設置状態にある図１５の杭構造は、上記実施例６のスパイラル杭及びカバー材を使用したものであり、ゲート柱６の下端の両側面を挟んでゲート柱６を支持すると共にベースプレート３上の所定位置に配設固定される柱支持材５と、
柱支持材５によって複数のゲート柱６の各下部に固定され、ゲート柱６から平面視周囲へ略水平に拡がるベースプレート３と、
各ベースプレート３の、各ゲート柱６を囲う複数のプレート面にそれぞれ挿通固定され、ベースプレート３の下方に伸長して設置面内に埋設されるスパイラル杭１０とを具備してなり、
前記スパイラル杭１０は、伸長軸周りに螺旋状に伸長したねじり形状のねじり板１と、ねじり板１の上端中央からから伸長軸上に延設された固定棒２とから一体的に構成され、さらに、ねじり板１の上端を含む地表への露出部分全体に亘って、筒状のカバー材８０が前記固定棒２によって固定されてねじり板１の周囲へ覆設される。
【００５７】
そしてベースプレート３の複数の固定孔３１Ｈに挿通して上下方向に伸びる固定棒２が、ベースプレート３上面側に圧設される、プレート固定具たる上部ナット４Ｎと、ベースプレート３と、ベースプレート３の下面側にワッシャＷを介して圧設される、ネジ孔構造体たるナット部８２とを挿通保持する。そして、上部ナット４Ｎとナット部８２とによってベースプレート３を上下面から圧設しながら挟持固定することで、ベースプレート３が水平状態とされたまま、カバー材８０を有して地中に埋設した複数のスパイラル杭１０と固定される。
【００５８】
ここでカバー材８０は、筒状の上部を塞ぐ閉塞板８１と、閉塞板８１に穿設されて固定棒２の雄ネジ部に螺合し得るネジ孔構造とを有し、このネジ孔構造がスパイラル杭１０上部の外ネジ付きの固定棒２に螺着してスパイラル杭１０の上部に固定される。螺旋板１上端にカバー材８０を覆設固定した図１１（ないし図１２、図１３）の状態のスパイラル杭１０が、図３に示すものと同様の埋設工程によって地中に埋設されることで、カバー材８０の筒状下端が接地面に接して埋め込まれ、地表へのスパイラル杭１０の露出部全体を覆った状態となる。
【００５９】
ここで実施例ではカバー材８０の筒状下端が全て地面に突入し、スパイラル杭１０の地表露出部を略密閉状態で囲う。このとき、スパイラル杭１０の回転挿入によって押し除けられた土がカバー材８０内部に移動し、カバー材８０内部の土Ｇ２がカバー材８０外方の土Ｇ１よりも上方へ押し上げられることで、内部のグラウンドラインＧＬ２が、外部のグラウンドラインＧＬ１よりも高位となる。このため周囲に水が溜まったり雨で地盤がゆるんだりしたときも、この内部の土Ｇ２を含むカバー材８０下端の土内突入部分によって水が容易に侵入したり溜まったりすることなく、スパイラル杭１０の表面を保護して錆を防止し、スパイラル杭１０の杭支持状態を保持することができる。
【００６０】
図１５には図１２に示す実施例６のスパイラル杭を使用した設置構造を図示しているが、この他に、図１２に示す実施例７のスパイラル杭１０、図１３に示す実施例８のスパイラル杭１０を使用することもできる。実施例６のスパイラル杭１０は閉塞板８１上部にナット部８２が固定されているため、このナット部８２を下部からの挟み込み材として、ワッシャＷを介してベースプレート３の下面に配している。実施例７，８のスパイラル杭１０は閉塞板８１上部にナット部８２が固定されていないため、閉塞板８１上部に下部からの挟み込み材として、図６に示すものと同様の下部ナット部３Ｎを介設させ、ワッシャＷを介してベースプレート３の下面に配するものとする。
【００６１】
ナット部８２は閉塞板８１の上面であって中央の貫通孔と同軸位置に固定されている。実施例では螺合固定したナット部８２よりさらに上部へ突出した固定棒２部分に、上部ナット４Ｎがダブルナット構造として２連螺合される。
【００６２】
なお仮設ゲートの他の設置方法として、スパイラル杭１を、予め図１１〜図１３の各左図（ａ）に示すようなカバー材８０と分離した状態としておき、図３に示すものと同様のスパイラル杭１０群の埋設工程ののちに、各スパイラル杭１０の上方からカバー材を回しながら被せて地中に埋まるまで挿入し、そののちに次に図４、５と同様のベースプレート設置工程によって、地表に露出した固定棒２に下部ナット３Ｎ（必要な場合），下部ワッシャ３Ｗ、ベースプレート３、上部ワッシャ４Ｗ、上部ナット４Ｎを取り付け、ベースプレート３を上下から挟みこんで水平支持固定するものとしてもよい。そしてベースプレート３の上面に柱支持材５及びゲート柱６を取り付け、カバー材８０付きのスパイラル杭１群によってゲート柱６及ゲートパネル６Ｐを支持した仮設ゲートの設置構造を構成する。
【００６３】
（仮設フェンスへの設置例（図１６））
また、上記本発明のいずれかの実施例のスパイラル杭１０を使用して、図１６に示すような仮設フェンスの杭構造、或いは同様の柱材６１及び張り出し支持材６２を有する仮設ゲートの杭構造とすることができる。仮設フェンスの設置状態にある図１６の杭構造は、上記実施例６のスパイラル杭及びカバー材を使用したものであり、仮設フェンス／ゲートに使用される柱材６１に固定されると共にこの柱材６１の側方へ斜め方向に伸長して接地する張り出し支持材６２と、張り出し支持材６２の張り出し部分近傍の地中に埋設されると共にそれ自体の上部が地表に露出してなるスパイラル杭１０と、前記張り出し支持材６２とスパイラル杭１０とをそれぞれ保持する保持部同士が互いに連結してなる連結材Ｃと、を具備してなる。
【００６４】
張り出し支持材６２はその一端が連結材Ｃによって柱材６１の上部に連結され、当該上部の連結部分から斜め下方に伸長して他端が接地する剛性の棒材からなる。斜めに伸長して接地することで柱材やフェンス或いはゲート等の支持対象材を一面側から支えている。支持対象材の立設角度を斜め下方から張り出し支持するだけの剛性を有した棒材であれば、例えば断面円筒状鋼管のほか、Ｈ型鋼、Ｌ型鋼或いは木製棒といった任意の材料乃至形状のものを使用することができる。
【００６５】
連結材Ｃとして実施例では、ボルト締結によって開閉乃至締め付け可能なクランプからなる保持部材が角度可変可能に連結された、いわゆる自在クランプを使用している。但し、必ずしもこれに限定されるものではなく、保持部によって連結するものであれば角度固定のもの、番線等の締め付け線材を使用したものでもよい。
【００６６】
この杭構造において、前記スパイラル杭１０は、伸長軸周りに螺旋状に伸長して地中に埋設された、ねじり形状のねじり板１と、ねじり板１の上端中央からから伸長軸上に延設された固定棒２とから一体的に構成される。さらに、ねじり板１の上端を含む地表への露出部分全体に亘って、筒状のカバー材８０が前記固定棒２によって固定されてねじり板１の周囲へ覆設される。そして前記連結材は、前記カバー材８０に周着固定する保持部を有し、この保持部によってスパイラル杭を保持する。
【００６７】
図１６に示す仮設フェンス設置用の杭構造においては、固定棒２が雄ネジ部を有し、また、前記カバー材８０は、筒状の上部を塞ぐ閉塞板８１と、閉塞板８１に穿設されて前記固定棒２の雄ネジ部に螺合し得るネジ孔構造と、を有する。そして、このネジ孔構造がスパイラル杭１０上部の前記雄ネジ部を有した固定棒２に螺着して、カバー材８０が閉塞板８１の下方へ連なってカバー材８０の筒状下端がすべて接地面に接した状態となり、スパイラル杭１０の地表へ露出した上部分（地表露出部）の全体を覆う。
【００６８】
実施例ではカバー材８０の筒状下端が全て地面に突入し、スパイラル杭１０の地表露出部を略密閉状態で囲う。このときカバー材８０に囲われた内部の土Ｇ２は、スパイラル杭１０の回転挿入によって上方へ押し上げられることで、そのグラウンドラインＧＬ２が、カバー材８０の周囲の土Ｇ１のグラウンドラインＧＬ１よりも高い位置となる。このため周囲に水が溜まったり雨で地盤がゆるんだりしたときも、この内部の土Ｇ２を含むカバー材８０下端の土内突入部分により、スパイラル杭１０の杭支持状態を保持することができる。
【００６９】
また実施例６のネジ孔構造は、ナット部８２の内面に形成されており、ナット部８２は閉塞板８１の上面であって中央の貫通孔と同軸位置に固定されている。実施例ではこのナット部８２の上部に突出した固定棒２に、丸環９Ｉを上端に一体形成した内ネジ付きキャップ９が螺合される。
【００７０】
図１７は、図１６に示す杭構造のスパイラル杭１０を引き抜く途中の状態を示す。すなわち仮設フェンスの杭構造の引き抜き工程においては、ネジ孔構造よりも上部に突出した固定棒２に、丸環９Ｉ等の引き抜き具を有したキャップ状の引き抜き材（内ネジ付きキャップ９）をかぶせて取り付け、この引き抜き材をロープ９Ｒ等で吊るし、回転連結具９Ｔを介してフック９Ｆ等で引き上げるものとしている。なお前記キャップ状の引き抜き材として、実施例では内ネジ付きキャップ９を使用している。フック９Ｆの引き上げに伴い、回転連結具９Ｔの下部が吊り下げ方向軸周りに自由回転することで、スパイラル杭１０が地中から抜け出る方向に回転して地表側へ引き上げられる。このときカバー材８０内はスパイラル杭１０の周囲を覆ったまま共に回転しながら引き抜かれ、カバー材８０内部の土Ｇ２がスパイラル杭１０と共に地面から抜け出ることで、スパイラル杭１０の設置箇所には溝穴ＤＧが形成される。この溝穴ＤＧの形成によって、スパイラル杭１０の引き抜きが効率的に進行する。
【００７１】
その他、本発明は上述した実施例に限定されることなく、本発明の趣旨を逸脱しない範囲で適宜、要素の抽出、組み合わせの変更、省略、各工程の順番の変更や一部構成の省略或いは配置の変更が可能である。
【符号の説明】
【００７２】
１０  スパイラル杭
１  ねじり板
１３  切り欠き
２  固定棒
３  ベースプレート
３１Ｈ  第一固定孔
３２Ｈ  第二固定孔
３Ｎ  下部ナット
３Ｗ  下部ワッシャ
４Ｎ  上部ナット
４Ｗ  下部ワッシャ
５Ｂ  支持材固定ボルト
５  柱支持材
６  ゲート柱
６Ｆ  仮設ゲート本体
６Ｐ  ゲートパネル
７  位置決めプレート
【図１】
0005800139.tif 000002
【図２】
0005800139.tif 000003
【図３】
0005800139.tif 000004
【図４】
0005800139.tif 000005
【図５】
0005800139.tif 000006
【図６】
0005800139.tif 000007
【図７】
0005800139.tif 000008
【図８】
0005800139.tif 000009
【図９】
0005800139.tif 000010
【図１０】
0005800139.tif 000011
【図１１】
0005800139.tif 000012
【図１２】
0005800139.tif 000013
【図１３】
0005800139.tif 000014
【図１４】
0005800139.tif 000015
【図１５】
0005800139.tif 000016
【図１６】
0005800139.tif 000017
【図１７】
0005800139.tif 000018